(57)【要約】【課題】留守録リモート再生中の再生音声の音質を変更することができない。【解決手段】留守録モード中に相手先電話機からの着信を検出すると、この相手先電話機からの通話音声を親機留守録メモリ部２２Ａに録音する留守録制御部４９と、外出先電話機からのリモート再生起動用ＤＴＭＦ信号を受信すると、留守録リモート再生機能にて親機留守録メモリ部に録音済みの通話音声を読み出し、この読み出した通話音声を外出先電話機に再生出力すると共に、外出先電話機への留守録リモート再生中に、外出先電話機からの送話側周波数特性変更用ＤＴＭＦ信号を検出すると、この送話側周波数特性変更用ＤＴＭＦ信号に基づいて、外出先電話機に出力する通話音声の音質を制御することで、この音質制御した通話音声を外出先電話機へと親機ＤＳＰ１１Ａに出力させる音質制御部４５とを有している。【選択図】  図３
2005020556.tif 000002
【特許請求の範囲】
【請求項１】
留守録モード中に相手先電話機からの着信を検出すると、この相手先電話機からの通話音声を録音する通話録音手段と、
外部電話機からの再生信号を検出すると、前記通話録音手段に録音済みの相手先電話機の通話音声を前記通話録音手段から読み出し、この読み出した通話音声を前記外部電話機に出力する再生出力手段と、
前記外部電話機への通話音声の出力中に、前記外部電話機からの周波数特性変更信号を検出すると、この周波数特性変更信号に基づいて、前記外部電話機に出力する通話音声の音質を制御することで、この音質制御した通話音声を前記外部電話機へと前記再生出力手段に出力させる音質制御手段とを有することを特徴とする電話機。
【請求項２】
前記外部電話機からの再生信号及び周波数特性変更信号は、所定のＤＴＭＦ信号であることを特徴とする請求項１記載の電話機。
【請求項３】
留守録モード中に相手先電話機からの着信を検出すると、この相手先電話機からの通話音声を録音し、外部電話機からの再生信号を検出すると、録音済みの相手先電話機の通話音声を読み出し、この読み出した通話音声を前記外部電話機に出力すると共に、前記外部電話機への通話音声の出力中に、前記外部電話機からの周波数特性変更信号を検出すると、この周波数特性変更信号に基づいて、前記外部電話機に出力する通話音声の音質を制御することで、この音質制御した通話音声を前記外部電話機へと出力することを特徴とする電話機の音質制御方法。
【発明の詳細な説明】
【０００１】
【発明の属する技術分野】
本発明は、相手先電話機からの着信を検出すると、この相手先電話機からの通話音声を録音する留守録機能を有し、この留守録機能中に、外部電話機からの遠隔操作で録音済みの通話音声を、外線を通じて同外部電話機に再生出力することができる電話機及び電話機の音質制御方法に関する。
【０００２】
【従来の技術】
従来、このような留守録機能を備えた電話機としては、この電話機に録音済みの通話音声（伝言）を、外出先の外部電話機からの遠隔操作で受聴できる留守録リモート再生機能が広く普及している。
【０００３】
また、近年の電話機には、通話中の通話音声の周波数特性を変更し、この周波数特性に基づいて通話音声の音質を制御する機能が知られている（例えば特許文献１参照）。
【０００４】
この特許文献１の電話機によれば、そのユーザが聞き取りやすい通話音声の周波数特性を予め設定しておき、通話中に、予め設定された周波数特性に基づいて通話音声の内、通話相手先からの受話音声を音質制御するようにしたので、そのユーザにとって聞き取りやすい受話音声を提供することができる。
【０００５】
また、特許文献１の電話機においては、予め設定した周波数特性に基づいて受話音声を音質制御するようにしたが、予め設定した周波数特性だけではなく、通話しながら受話音声の周波数特性を変更して、受話音声の音質を制御するようにした技術も知られている。
【０００６】
このような従来の電話機によれば、通話しながら受話音声の周波数特性を変更可能とし、この周波数特性に基づいて受話音声を音質制御するようにしたので、ユーザは、通話中に最適な音質の受話音声を得ることができる。
【０００７】
【特許文献１】
特開平８−１９１３４０号公報（要約書）
【０００８】
【発明が解決しようとする課題】
しかしながら、上記従来の電話機によれば、通話音声の内、この電話機への受話音声の音質を制御することはできるものの、この電話機からの送話音声の音質については制御することができないため、例えば留守録リモート再生機能にて、外出先の外部電話機からの遠隔操作で録音済みの通話音声を同外部電話機に再生出力することはできるにしても、この通話音声（再生音声）は電話機から外部電話機への送話音声ということになるため、この留守録リモート再生中に再生音声の音質を制御することはできない。
【０００９】
本発明は上記点に鑑みてなされたものであり、その目的とするところは、外部電話機からの遠隔操作で録音済みの通話音声を同外部電話機に再生出力する留守録リモート再生中であっても、その外部電話機への再生音声の音質を制御することができる電話機及び電話機の音質制御方法を提供することにある。
【００１０】
【課題を解決するための手段】
上記目的を達成するために本発明の電話機は、留守録モード中に相手先電話機からの着信を検出すると、この相手先電話機からの通話音声を録音する通話録音手段と、外部電話機からの再生信号を検出すると、前記通話録音手段に録音済みの相手先電話機の通話音声を前記通話録音手段から読み出し、この読み出した通話音声を前記外部電話機に出力する再生出力手段と、前記外部電話機への通話音声の出力中に、前記外部電話機からの周波数特性変更信号を検出すると、この周波数特性変更信号に基づいて、前記外部電話機に出力する通話音声の音質を制御することで、この音質制御した通話音声を前記外部電話機へと前記再生出力手段に出力させる音質制御手段とを有するようにした。
【００１１】
従って、本発明の電話機によれば、外部電話機からの再生信号検出に伴う外部電話機への録音済み通話音声の出力中、つまり、留守録リモート再生中に、外部電話機からの周波数特性変更信号を検出すると、この周波数特性変更信号に基づいて、前記外部電話機に出力する通話音声の音質を制御することで、この音質制御した通話音声を前記外部電話機へと出力させるようにしたので、留守録リモート再生中であっても、外出先の外部電話機からの遠隔操作で、同外部電話機への再生音声の音質を制御することができる。
【００１２】
本発明の電話機は、前記外部電話機からの再生信号及び周波数特性変更信号は、所定のＤＴＭＦ信号であるようにした。
【００１３】
従って、本発明の電話機によれば、外部電話機からの再生信号や周波数特性変更信号を所定のＤＴＭＦ信号とするようにしたので、外出先の外部電話機からのダイヤル操作で同外部電話機への再生音声の周波数特性を簡単に変更することができ、その結果、その再生音声の音質を変更することができる。
【００１４】
本発明の電話機の音質制御方法は、留守録モード中に相手先電話機からの着信を検出すると、この相手先電話機からの通話音声を録音し、外部電話機からの再生信号を検出すると、録音済みの相手先電話機の通話音声を読み出し、この読み出した通話音声を前記外部電話機に出力すると共に、前記外部電話機への通話音声の出力中に、前記外部電話機からの周波数特性変更信号を検出すると、この周波数特性変更信号に基づいて、前記外部電話機に出力する通話音声の音質を制御することで、この音質制御した通話音声を前記外部電話機へと出力するようにした。
【００１５】
従って、本発明の電話機の音質制御方法によれば、外部電話機からの再生信号検出に伴う外部電話機への録音済み通話音声の出力中、つまり、留守録リモート再生中に、外部電話機からの周波数特性変更信号を検出すると、この周波数特性変更信号に基づいて、前記外部電話機に出力する通話音声の音質を制御することで、この音質制御した通話音声を前記外部電話機へと出力させるようにしたので、留守録リモート再生中であっても、外出先の外部電話機からの遠隔操作で、同外部電話機への再生音声の音質を制御することができる。
【００１６】
【発明の実施の形態】
以下、図面に基づいて本発明の電話機における実施の形態を示す電話システムについて説明する。図１は本実施の形態を示す電話システムの親機電話機内部の概略構成を示すブロック図、図２は親機電話機の外観構成を示す説明図である。
【００１７】
この電話システム１は、例えば公衆網２と通信接続する親機電話機１０Ａと、この親機電話機１０Ａと無線接続することで、公衆網２と通信接続する子機電話機１０Ｂとを有している。
【００１８】
図１に示す親機電話機１０Ａは、公衆網２の通話相手先と通話接続し、通話相手先との通話音声を音質制御する親機ＤＳＰ１１Ａと、公衆網２へのダイヤル番号（ＤＴＭＦ信号）を発信するダイヤル発信部１２Ａと、通話相手先との通話に関わる送話及び受話に使用するハンドセット部１３Ａと、音声を収音するマイク部１４Ａと、音声をスピーカ出力するスピーカ部１５Ａと、これらハンドセット部１３Ａ、マイク部１４Ａ及びスピーカ部１５Ａの入出力を切り替える親機切替スイッチ１６Ａと、子機電話機１０Ｂとの無線インタフェースを司る親機無線部１７Ａと、様々な指令を入力する親機操作部１８Ａと、様々な情報を表示する親機ＬＣＤ１９Ａと、様々な情報を記憶する親機記憶部２０Ａと、この親機電話機１０Ａ全体を制御する親機制御部２１Ａと、留守録モード中に電話着信を検出すると、この通話相手先からの通話音声を録音する親機留守録メモリ部２２Ａとを有している。
【００１９】
親機ＤＳＰ１１Ａは、通話相手先との通話音声の周波数特性を変更することで、これら変更した周波数特性に基づいて、この通話相手先の通話音声の内、通話相手先への送話音声の音質を制御すると共に、通話相手先の通話音声の内、通話相手先からの受話音声の音質を制御する機能を備えたものである。
【００２０】
親機操作部１８Ａは、例えばダイヤル番号等を入力するテンキー３１Ａと、通話中の通話音声の音質を変更する音質制御機能を起動するボイススイッチ３２Ａと、通話音声の内、送話音声の周波数特性の変更又は受話音声の周波数特性の変更を切替選択する受話／送話選択キー３３Ａと、電話帳機能等に使用するための氏名や名称等を入力する情報入力キー３４Ａと、電話帳機能を起動する電話帳キー３５Ａと、発信履歴や着信履歴等の発着信履歴機能を起動する発信着信履歴キー３６Ａと、発信機能を起動する発信キー３７Ａと、留守録モードを起動すると共に、この留守録モード中に押下されると、親機留守録メモリ部２２Ａに録音済みの通話音声の再生動作を開始する留守録キー３８Ａとを有している。尚、この親機操作部１８Ａの内、発信キー３７Ａ、発着信履歴キー３６Ａ、電話帳キー３５Ａ、受話／送話選択キー３３Ａ及びボイススイッチ３２Ａは、図２に示すように親機ＬＣＤ１９Ａの下段に配置されているものとする。
【００２１】
図３は本実施の形態に関わる親機制御部２１Ａ内部の概略構成を示すブロック図である。
【００２２】
図３に示す親機制御部２１Ａは、公衆網２との通信インフェースを司る通信制御部４１と、親機操作部１８Ａのキー操作を監視するキー監視部４２と、親機ＬＣＤ１９Ａを表示制御する表示制御部４３と、親機記憶部２０Ａをメモリ制御するメモリ制御部４４と、親機ＤＳＰ１１Ａを制御する音質制御部４５と、留守録機能に関わる親機留守録メモリ部２２Ａ等を制御する留守録制御部４９と有している。
【００２３】
この親機制御部２１Ａは、大きく分けて３つの機能を有し、通話相手先との通話中に通話音声の内、受話音声及び送話音声の周波数特性を変更する周波数特性変更機能と、この通話の終話に応じて同変更した受話音声及び送話音声の周波数特性を通話相手先の電話番号単位に記憶管理する周波数特性登録機能と、電話着信や電話発信時に、同通話相手先の電話番号に対応する受話音声及び送話音声の周波数特性を検索し、この検索した周波数特性に基づいて受話音声及び送話音声の音質を自動的に制御する周波数特性設定機能とに分けることができる。
【００２４】
さらに、親機制御部２１Ａは、留守録モード中に通話相手先からの通話音声（伝言）を親機留守録メモリ部２２Ａに録音する留守録機能と、親機留守録メモリ部２２Ａに録音済みの通話音声をスピーカ部１５Ａにスピーカ出力する通常留守録再生機能と、公衆網２（外線）を通じて外出先電話機からの遠隔操作を検出すると、親機留守録メモリ部２２Ａに録音済みの通話音声を外出先電話機に再生出力する留守録リモート再生機能とを有している。
【００２５】
また、親機制御部２１Ａは、外出先電話機への留守録リモート再生中に、この外出先電話機からの遠隔操作で、その再生音声の音質を制御すべく、その再生音声の周波数特性（送話側周波数特性）を変更するリモート周波数特性変更機能を有している。
【００２６】
つまり、留守録制御部４９は、これら留守録機能（通話音声留守録機能）、通常留守録再生機能、留守録リモート再生機能及びリモート周波数特性変更機能の制御を司るものである。
【００２７】
親機制御部２１Ａは、キー監視部４２を通じて、通話相手先との通話中に、その通話音声の周波数特性を変更する操作を検出すると、その通話音声の周波数特性を変更する周波数特性変更部４６とを有している。尚、この周波数特性変更部４６の周波数特性変更とは、後述する周波数特性パターンの選択に相当するものである。
【００２８】
音質制御部４５は、周波数特性変更部４６にて通話音声の内、受話音声の周波数特性を変更すると、この周波数特性に基づいて通話相手先からの受話音声の音質を制御すべく、親機ＤＳＰ１１Ａを制御する受話側音質制御部４５Ａと、周波数特性変更部４６にて通話音声の内、送話音声の周波数特性を変更すると、この周波数特性に基づいて通話相手先への送話音声の音質を制御すべく、親機ＤＳＰ１１Ａを制御する送話側音質制御部４５Ｂとを有している。
【００２９】
メモリ制御部４４は、周波数特性変更部４６にて通話相手先との通話音声の周波数特性を変更した後、その通話を終話すると、その通話相手先の電話番号に対応付けて周波数特性（受話側周波数特性及び送話側周波数特性）を親機記憶部２０Ａに登録するものとする。
【００３０】
親機記憶部２０Ａは、発信履歴及び着信履歴機能に関わる様々な発着信履歴データを記憶管理する発着信履歴メモリ部５１Ａと、電話帳機能に関わる様々な電話帳データを記憶管理する電話帳メモリ部５２Ａとを有し、例えば発着信履歴データには、発信又は着信履歴日時、通話相手先の電話番号、通話相手先の名称又は氏名、後述する通話相手先の電話番号に対応した通話音声内の受話音声及び送話音声の周波数特性等が記憶管理されているものとする。また、同様に電話帳データには、通話相手先の電話番号、通話相手先の名称又は氏名、通話相手先の電話番号に対応した通話音声内の受話音声及び送話音声の周波数特性等が記憶管理されているものとする。
【００３１】
さらに親機制御部２１Ａは、通話相手先の電話番号を検出する通話相手先電話番号検出部４７と、この通話相手先電話番号検出部４７にて通話相手先の電話番号を検出すると、親機記憶部２０Ａ内の電話帳メモリ部５２Ａ若しくは発着信履歴メモリ部５１Ａ内から、通話相手先の電話番号に対応した周波数特性を検索する周波数特性検索部４８とを有している。
【００３２】
音質制御部４５では、周波数特性検索部４８にて通話相手先の電話番号に対応した周波数特性を検索すると、この周波数特性内の受話側周波数特性及び送話側周波数特性に基づいて、受話音声及び送話音声の音質を制御すべく、親機ＤＳＰ１１Ａを制御するものである。
【００３３】
また、通話相手先電話番号検出部４７は、通話相手先の電話番号を検出するものであるが、例えば公衆網２の発信者番号サービス機能を利用することで、通信制御部４１を通じて電話着信を検出すると、この電話着信に伴う発信者番号を検出する場合と、電話発信時における通話相手先の電話番号を検出する場合とがあげられる。
【００３４】
留守録機能時の留守録制御部４９は、留守録モード中に通信制御部４１を通じて電話着信を検出すると、この通話相手先からの通話音声を親機留守録メモリ部２２Ａに録音するものである。
【００３５】
また、通常留守録再生機能時の留守録制御部４９は、留守録モードの解除操作を検出すると、親機留守録メモリ部２２Ａに録音済みの通話音声をスピーカ部１５Ａから再生出力するものである。
【００３６】
また、留守録リモート再生機能時の留守録制御部４９は、公衆網２（外線）を通じて外出先電話機からのリモート再生起動用ＤＴＭＦ信号（例えば“＃１”のダイヤル番号）を検出すると、親機留守録メモリ部２２Ａに録音済みの通話音声を外線を通じて外出先電話機に再生出力するものである。
【００３７】
さらに、リモート周波数特性変更機能時の留守録制御部４９は、留守録リモート再生機能にて録音済みの通話音声を外出先電話機に再生出力中に、外出先電話機からの送話側周波数特性変更用ＤＴＭＦ信号（例えば“＃２”のダイヤル番号）を検出すると、この再生出力中の通話音声（再生音声）の周波数特性を変更することで、その再生音声の音質を制御するものである。
【００３８】
では、親機電話機１０Ａで変更可能とする通話音声の周波数特性について説明する。図４は親機電話機１０Ａで変更可能とする通話音声の周波数特性パターンの一例を示す説明図である。
【００３９】
親機電話機１０Ａでは、図４に示すように通話音声の低域成分を強調する“低域強調”と、通話音声の高域成分を強調する“高域強調”と、通常の“ノーマル”との３種類の周波数特性パターンを有し、これら周波数特性パターンを切替選択することができるものである。
【００４０】
図５は本実施の形態に関わる電話帳メモリ部５２Ａ内部のテーブル構成の一例を端的に示す説明図である。
【００４１】
図５に示す電話帳メモリ部５２Ａは、通話相手の氏名５２１と、通話相手の電話番号５２２と、通話時における通話相手先への送話音声に関わる周波数特性を示す送話側周波数特性５２３と、通話時における通話相手先からの受話音声に関わる周波数特性を示す受話側周波数特性５２４とを記憶管理しているものとし、例えば氏名５２１“ＢＢＢＢ”は、電話番号５２２が“０４７−３８５−ＸＸＸＸ”、通話時の送話側周波数特性５２３が“高域強調”、通話時の受話側周波数特性５２４が“低域強調”であり、氏名５２１“ＤＤＤＤ”は、電話番号５２２が“０４７−３８２−ＸＸＸＸ”、通話時の送話側周波数特性５２３が“ノーマル”、通話時の受話側周波数特性５２４が“低域強調”ということになる。
【００４２】
次に親機電話機１０Ａと無線接続する子機電話機１０Ｂについて説明する。図７は子機電話機１０Ｂ内部の概略構成を示すブロック図である。尚、図７に示す子機電話機１０Ｂは、図１に示す親機電話機１０Ａとほぼ同一の構成及び動作内容であることから、その重複する動作の説明については省略する。
【００４３】
図７に示す子機電話機１０Ｂは、通話相手先との通話音声の音質を制御する子機ＤＳＰ１１Ｂと、通話相手先との通話の受話に使用するレシーバ部１３Ｂと、通話相手先との通話の送話に使用するマイク部１４Ｂと、音声をスピーカ出力するスピーカ部１５Ｂと、これらレシーバ部１３Ｂ、マイク部１４Ｂ及びスピーカ部１５Ｂの入出力を切り替える子機切替スイッチ１６Ｂと、親機電話機１０Ａとの無線インタフェースを司る子機無線部１７Ｂと、様々な指令を入力する子機操作部１８Ｂと、様々な情報を表示する子機ＬＣＤ１９Ｂと、様々な情報を記憶する子機記憶部２０Ｂと、この子機電話機１０Ｂ全体を制御する子機側制御部２１Ｂと、留守録モード中に電話着信を検出すると、この通話相手先からの通話音声を録音する子機留守録メモリ部２２Ｂとを有している。
【００４４】
また、子機操作部１８Ｂは、テンキー３１Ｂ、ボイススイッチ３２Ｂ、情報入力キー３４Ｂ、受話／送話選択キー３３Ｂ、電話帳キー３５Ｂ、発着信履歴キー３６Ｂ、発信キー３７Ｂ及び留守録キー３８Ｂを有している。
【００４５】
尚、請求項記載の電話機が親機電話機１０Ａ（子機電話機１０Ｂ）、通話録音手段は親機留守録メモリ部２２Ａ（子機留守録メモリ部２２Ｂ）及び留守録制御部４９（子機制御部２１Ｂ）、再生出力手段は留守録制御部４９（子機制御部２１Ｂ）及び親機ＤＳＰ１１Ａ（子機ＤＳＰ１１Ｂ）、音質制御手段は親機制御部２１Ａ内の周波数特性変更部４６、音質制御部４５、送話側音質制御部４５Ｂ（子機制御部２１Ｂ）及び親機ＤＳＰ１１Ａ（子機ＤＳＰ１１Ｂ）に相当するものである。
【００４６】
次に本実施の形態を示す電話システム１の動作について説明する。図８は本実施の形態に関わる親機電話機１０Ａの周波数特性設定登録処理に関わる親機制御部２１Ａの処理動作を示すフロー図である。
【００４７】
図８に示す周波数特性設定登録処理とは、通話相手先との通話中に、通話音声の受話音声及び送話音声の周波数特性を変更可能とし、この変更した周波数特性に基づいて受話音声及び送話音声の音質を制御すると共に、その通話の終話に応じて、通話相手先の電話番号と対応付けて受話音声及び送話音声の周波数特性を記憶管理（登録）する処理である。
【００４８】
図８に示す親機制御部２１Ａは、キー監視部４２を通じて通話相手先との通話中にボイススイッチ３１Ａを押下したか否かを判定する（ステップＳ１１）。
【００４９】
親機制御部２１Ａは、キー監視部４２を通じて、通話中にボイススイッチ３１Ａを押下したのであれば、この通話相手先との通話音声の周波数特性を変更すべく、図９に示す周波数特性変更処理に移行する。尚、周波数特性変更処理とは、通話音声の受話音声及び／又は送話音声の周波数特性を変更し、この変更した周波数特性に基づいて受話音声及び送話音声の音質を制御する処理である。
【００５０】
親機制御部２１Ａは、図９に示す周波数特性変更処理後、通信制御部４１を通じて、この通話相手先との通話が終話したか否かを判定する（ステップＳ１３）。
【００５１】
メモリ制御部４４は、通話相手先との通話が終話したのであれば、周波数特性変更処理にて変更した周波数特性を、通話相手先の電話番号に対応付けて発着信履歴メモリ部５１Ａに登録する（ステップＳ１４）。
【００５２】
さらにメモリ制御部４４は、電話帳キー３５Ａの押下監視時間を計時する電話帳受付登録タイマをスタートする（ステップＳ１５）。
【００５３】
親機制御部２１Ａは、キー監視部４２を通じて電話帳キー３５Ａが押下されたか否かを判定する（ステップＳ１６）。
【００５４】
親機制御部２１Ａの表示制御部４３は、電話帳キー３５Ａが押下されたのであれば、メモリ制御部４４を通じて電話帳メモリ部５２Ａ内から登録済みの氏名を親機ＬＣＤ１９Ａに表示し、これら電話帳メモリ部５２Ａに登録済みの氏名が登録対象の氏名を指定する操作をユーザに促す（ステップＳ１７）。
【００５５】
親機制御部２１Ａは、キー監視部４２を通じて電話帳メモリ部５２Ａに登録済みの氏名から登録対象の氏名の指定が完了したか否かを判定する（ステップＳ１８）。
【００５６】
親機制御部２１Ａは、登録対象の氏名の指定が完了すると、キー監視部４２を通じてボイススイッチ３２Ａを押下したか否かを判定する（ステップＳ１９）。
【００５７】
メモリ制御部４４は、ボイススイッチ３２Ａを押下したのであれば、ステップＳ１２の周波数特性変更処理にて変更した周波数特性（受話側周波数特性及び送話側周波数特性）を、この登録対象の氏名に対応付けて電話帳メモリ部５２Ａに登録することで（ステップＳ２０）、この処理動作を終了する。
【００５８】
親機制御部２１Ａは、ステップＳ１１にて通話相手先との通話中にボイススイッチ３２Ａを押下したのでなければ、図９に示す周波数特性変更処理に移行することなく、通話相手先との通話が終話したか否かを監視すべく、ステップＳ１３に移行する。
【００５９】
さらに、親機制御部２１Ａの通信制御部４１は、ステップＳ１３にて通話相手先との通話が終話したのでなければ、周波数特性変更起動用ＤＴＭＦ信号を受信したか否かを判定する（ステップＳ２２）。尚、周波数特性変更起動用ＤＴＭＦ信号とは、通話相手先からの特番ダイヤル番号、例えば“５＃”である。
【００６０】
親機制御部２１Ａは、ステップＳ２２にて周波数特性変更起動用ＤＴＭＦ信号を受信すると、図１０に示す外部ＤＴＭＦ信号周波数特性変更処理を起動し（ステップＳ２３）、この外部ＤＴＭＦ信号周波数特性変更処理を終了後、ボイススイッチ３２Ａの押下を監視すべく、ステップＳ１１に移行する。尚、外部ＤＴＭＦ信号周波数特性変更処理とは、通話相手先からの遠隔操作で親機電話機の送話音声及び受話音声の周波数特性を変更し、この変更した周波数特性に基づいて受話音声及び送話音声の音質を制御する処理である。
【００６１】
また、親機制御部２１Ａは、ステップＳ２２にて周波数特性変更起動用ＤＴＭＦ信号を受信したのでなければ、ボイススイッチ３２Ａの押下を監視すべく、ステップＳ１１に移行する。
【００６２】
また、親機制御部２１Ａは、ステップＳ１６にて電話帳キー３５Ａを押下したのでなければ、ステップＳ１５にてスタートした電話帳受付登録タイマがタイムアップしたか否かを判定する（ステップＳ２１）。
【００６３】
親機制御部２１Ａは、電話帳受付登録タイマがタイムアップしたのでなければ、電話帳キー３５Ａを押下したか否かを監視すべく、ステップＳ１６に移行する。
【００６４】
また、親機制御部２１Ａは、ステップＳ２１にて電話帳受付登録タイマがタイムアップしたのであれば、ステップＳ１２にて変更した周波数特性を電話帳メモリ部５２Ａに登録することなく、この処理動作を終了する。
【００６５】
また、親機制御部２１Ａは、ステップＳ１８にて登録対象氏名の指定を完了したのでなければ、又は、ステップＳ１９にてボイススイッチ３２Ａを押下したのでなければ、登録対象氏名の指定を促すべく、ステップＳ１７に移行する。
【００６６】
図８に示す周波数特性設定登録処理によれば、通話相手先との通話中に通話音声の周波数特性を変更すると、その通話の終話に応じて、通話相手先の電話番号と対応付けて、通話音声（受話音声及び送話音声）の周波数特性（受話側周波数特性及び送話側周波数特性）を発着信履歴メモリ部５１Ａ及び／又は電話帳メモリ部５２Ａに登録するようにしたので、簡単な操作で、電話番号単位に通話音声の周波数特性を記憶管理することができる。
【００６７】
次に図８に示すステップＳ１２の周波数特性変更処理について説明する。図９は周波数特性変更処理に関わる親機制御部２１Ａの処理動作を示すフロー図である。
【００６８】
図９において親機制御部２１Ａの表示制御部４３は、図８に示すステップＳ１１にて通話中にボイススイッチ３２Ａを押下すると、その周波数特性変更処理の起動を開始し、図６に示すように現在設定中の受話側周波数特性を親機ＬＣＤ１９Ａに表示する（ステップＳ３１）。尚、通話音声の周波数特性が記憶管理されていなくても、デフォルトで“ノーマル”の周波数特性パターンが設定されている。また、ユーザは、ステップＳ３１の親機ＬＣＤ１９Ａの表示内容に基づいて、現在、受話側周波数特性が変更可能であることを視覚的に認識することができる。
【００６９】
親機制御部２１Ａは、キー監視部４２を通じて受話／送話選択キー３３Ａを押下したか否かを判定する（ステップＳ３２）。
【００７０】
親機制御部２１Ａは、受話／送話選択キー３３Ａを押下したのでなければ、ボイススイッチ３２Ａを押下したか否かを判定する（ステップＳ３３）。
【００７１】
親機制御部２１Ａの周波数特性変更部４６は、ボイススイッチ３２Ａを押下したのであれば、現在の受話側周波数特性を設定変更する（ステップＳ３４）。尚、周波数特性変更部４６は、“ノーマル”→“高域強調”→“低域強調”→“ノーマル”→“高域強調”→…といった所定順序方向で周波数特性パターンを設定変更するものである。
【００７２】
親機制御部２１Ａの表示制御部４３は、受話側周波数特性を設定変更すると、その設定変更した受話側周波数特性を親機ＬＣＤ１９Ａに表示する（ステップＳ３５）。尚、ユーザは、親機ＬＣＤ１９Ａの表示内容に基づいて、現在設定中の受話側周波数特性を視覚的に認識することができる。
【００７３】
さらに親機制御部２１Ａは、リターン動作を検出したか否かを判定する（ステップＳ３６）。尚、リターン動作とは、この周波数特性変更処理を抜ける動作であり、例えば通話の終話動作や周波数特性変更操作の終了動作等があげられる。
【００７４】
親機制御部２１Ａは、ステップＳ３５にてリターン動作を検出したのであれば、この周波数特性変更処理を抜け、図８に示すステップＳ１３に移行する。
【００７５】
親機制御部２１Ａは、ステップＳ３５にてリターン動作を検出したのでなければ、受話／送話選択キー３３Ａの押下を監視すべく、ステップＳ３２に移行する。
【００７６】
さらに、親機制御部２１Ａは、ステップＳ３３にてボイススイッチ３２Ａを押下したのでなければ、リターン動作を監視すべく、ステップＳ３６に移行する。尚、ステップＳ３３ではボイススイッチ３２Ａを押下する度に所定順序方向で受話側周波数特性の周波数特性パターンを設定変更するものである。
【００７７】
親機制御部２１Ａの表示制御部４３は、ステップＳ３２にて受話／送話選択キー３３Ａが押下されたのであれば、現在設定中の送話側周波数特性を親機ＬＣＤ１９Ａに表示する（ステップＳ３７）。尚、ユーザは、親機ＬＣＤ１９Ａの表示内容に基づいて、送話側周波数特性が変更可能であることを視覚的に認識することができる。
【００７８】
親機制御部２１Ａは、キー監視部４２を通じて受話／送話選択キー３３Ａを押下したか否かを判定する（ステップＳ３８）。
【００７９】
親機制御部２１Ａは、受話／送話選択キー３３Ａを押下したのであれば、受話側周波数特性を親機ＬＣＤ１９Ａに表示すべく、ステップＳ３１に移行する。
【００８０】
また、親機制御部２１Ａは、ステップＳ３８にて受話／送話選択キー３３Ａを押下したのでなければ、キー監視部４２を通じてボイススイッチ３２Ａを押下したか否かを判定する（ステップＳ３９）。
【００８１】
親機制御部２１Ａの周波数特性変更部４６は、ボイススイッチ３２Ａを押下したのであれば、現在の送話側周波数特性を所定順序方向に設定変更する（ステップＳ４０）。
【００８２】
親機制御部２１Ａの表示制御部４３は、送話側周波数特性を設定変更すると、その設定変更した送話側周波数特性を親機ＬＣＤ１９Ａに表示する（ステップＳ４１）。尚、ユーザは、親機ＬＣＤ１９Ａの表示内容に基づいて、現在設定中の送話側周波数特性を視覚的に認識することができる。
【００８３】
さらに親機制御部２１Ａは、リターン動作を検出したか否かを判定する（ステップＳ４２）。親機制御部２１Ａは、ステップＳ４２にてリターン動作を検出したのであれば、この周波数特性変更処理を抜け、図９に示すステップＳ１３に移行する。
【００８４】
親機制御部２１Ａは、ステップＳ４２にてリターン動作を検出したのでなければ、受話／送話選択キー３３Ａを押下したか否かを監視すべく、ステップＳ３８に移行する。
【００８５】
さらに、親機制御部２１Ａは、ステップＳ３９にてボイススイッチ３２Ａを押下したのでなければ、リターン動作を監視すべく、ステップＳ４２に移行する。尚、ステップＳ３９ではボイススイッチ３２Ａを押下する度に所定順序方向で送話側周波数特性の周波数特性パターンを設定変更するものである。
【００８６】
図９に示す周波数特性変更処理によれば、通話相手先との通話中に、この通話相手先との通話音声の内、受話音声及び送話音声の周波数特性を夫々変更可能とし、この変更した受話音声及び送話音声の周波数特性に基づいて送話音声及び受話音声の音質を制御することができるようにしたので、ユーザは、通話しながら、受話音声の周波数特性はもちろんのこと、送話音声の周波数特性をも簡単な操作で変更することができる。
【００８７】
尚、図９に示す周波数特性変更処理においては、親機電話機１０Ａの親機操作部１８Ａを通じて通話相手先との通話音声の内、受話音声及び送話音声の周波数特性を変更可能としたが、前述したように、例えば通話相手先からのリモート操作、例えばＤＴＭＦ信号を利用することで通話相手先との通話音声の内、受話音声及び送話音声の周波数特性を変更するようにしても良く、この場合の外部ＤＴＭＦ信号周波数特性変更処理（図８に示すステップＳ２３）について説明する。図１０は外部ＤＴＭＦ信号周波数特性変更処理に関わる親機制御部２１Ａ内部の処理動作を示すフロー図である。
【００８８】
図１０に示す外部ＤＴＭＦ信号周波数特性変更処理は、図８に示すステップＳ２２にて周波数特性変更起動用ＤＴＭＦ信号（ダイヤル番号“＃５”）を通話相手先から受信されたと判定されると、その起動を開始するものである。
【００８９】
図１０において親機制御部２１Ａの通信制御部４１は、外部ＤＴＭＦ信号周波数特性変更処理を起動すると、通話相手先から受話側周波数特性変更用ＤＴＭＦ信号を受信したか否かを判定する（ステップＳ５１）。尚、この受話側周波数特性変更用ＤＴＭＦ信号とは、受話側周波数特性の変更を起動するＤＴＭＦ信号、例えばダイヤル番号“＃６”である。
【００９０】
周波数特性変更部４６は、受話側周波数特性変更用ＤＴＭＦ信号を受信したのであれば、現在の受話側周波数特性を所定順序方向に設定変更する（ステップＳ５２）。
【００９１】
表示制御部４３は、受話側周波数特性を設定変更すると、その設定変更した受話側周波数特性を親機ＬＣＤ１９Ａに表示する（ステップＳ５３）。尚、ユーザは、親機ＬＣＤ１９Ａの表示内容に基づいて、現在設定中の受話側周波数特性を視覚的に認識することができる。
【００９２】
さらに通信制御部４１は、通話相手先からリターン検出用ＤＴＭＦ信号を受信したか否かを判定する（ステップＳ５４）。尚、リターン検出用ＤＴＭＦ信号とは、外部ＤＴＭＦ信号周波数特性変更処理を終了するＤＴＭＦ信号、例えばダイヤル番号“＃８”である。
【００９３】
親機制御部２１Ａは、リターン検出用ＤＴＭＦ信号を受信したのであれば、この外部ＤＴＭＦ信号周波数特性変更処理を終了することで、図８に示すステップＳ１１に移行する。
【００９４】
また、親機制御部２１Ａは、ステップＳ５４にてリターン検出用ＤＴＭＦ信号を受信したのでなければ、更なる受話側周波数特性変更用ＤＴＭＦ信号の受信を監視すべく、ステップＳ５１に移行する。
【００９５】
つまり、親機電話機１０Ａの親機制御部２１Ａは、通話相手先からの受話側周波数特性変更用ＤＴＭＦ信号を受信する度に、所定順序方向に受話側周波数特性の周波数特性パターンを順次変更するものである。
【００９６】
また、通信制御部４１は、ステップＳ５１にて受話側周波数特性変更用ＤＴＭＦ信号を受信したのでなければ、送話側周波数特性変更用ＤＴＭＦ信号を受信したか否かを判定する（ステップＳ５５）。尚、送話側周波数特性変更用ＤＴＭＦ信号は、送話側周波数特性の変更を起動するＤＴＭＦ信号、例えばダイヤル番号“＃７”である。
【００９７】
周波数特性変更部４６は、ステップＳ５５にて送話側周波数特性変更用ＤＴＭＦ信号を受信したのであれば、現在の送話側周波数特性を所定順序方向に設定変更する（ステップＳ５６）。
【００９８】
表示制御部４３は、送話側周波数特性を設定変更すると、その設定変更した送話側周波数特性を親機ＬＣＤ１９Ａに表示する（ステップＳ５７）。尚、ユーザは、親機ＬＣＤ１９Ａの表示内容に基づいて、現在設定中の送話側周波数特性を視覚的に認識することができる。
【００９９】
さらに通信制御部４１は、通話相手先からリターン検出用ＤＴＭＦ信号を受信したか否かを判定する（ステップＳ５８）。
【０１００】
親機制御部２１Ａは、リターン検出用ＤＴＭＦ信号を受信したのであれば、この外部ＤＴＭＦ信号周波数特性変更処理を終了することで、図８に示すステップＳ１１に移行する。
【０１０１】
また、通信制御部４１は、ステップＳ５８にてリターン検出用ＤＴＭＦ信号を受信したのでなければ、更なる送話側周波数特性変更用ＤＴＭＦ信号の受信を監視すべく、ステップＳ５５に移行する。
【０１０２】
つまり、親機電話機１０Ａの親機制御部２１Ａは、通話相手先からの送話側周波数特性変更用ＤＴＭＦ信号を受信する度に所定順序方向に受話側周波数特性の周波数特性パターンを順次変更するものである。
【０１０３】
図１０に示す外部ＤＴＭＦ信号周波数特性処理によれば、通話相手先からのＤＴＭＦ信号を利用して遠隔操作で、通話相手先との通話音声の内、親機電話機１０Ａの受話音声及び送話音声双方の周波数特性を変更し、これら受話音声及び送話音声の音質を制御することができる。
【０１０４】
次に図８に示す周波数特性設定登録処理にて通話相手先との通話音声の周波数特性を発着信履歴メモリ部５１Ａや電話帳メモリ部５２Ａに登録した後の親機電話機１０Ａによる同通話相手先への発信動作について説明する。図１１は発信用音質設定処理に関わる親機制御部２１Ａの処理動作を示すフロー図である。
【０１０５】
図１１に示す発信用音質設定処理とは、発着信履歴メモリ部５１Ａ又は電話帳メモリ部５２Ａに登録済みの電話番号に対して発信動作を実行する際に、この電話番号に対応した通話音声（受話音声及び送話音声）の周波数特性を読み出し、この読み出した周波数特性に基づいて通話音声（受話音声及び送話音声）の音質を自動的に設定する処理である。
【０１０６】
図１１に示す親機制御部２１Ａは、キー監視部４２を通じて電話帳キー３５Ａによる通話相手先への指定操作を検出したか否かを判定する（ステップＳ６１）。
【０１０７】
親機制御部２１Ａは、電話帳キー３５Ａによる通話相手先への指定操作を検出したのであれば、その指定操作を完了したか否かを判定する（ステップＳ６２）。
【０１０８】
親機制御部２１Ａは、指定操作を完了したのであれば、キー監視部４２を通じて発信キー３７Ａを押下したか否かを判定する（ステップＳ６３）。
【０１０９】
親機制御部２１Ａのメモリ制御部４４は、発信キー３７Ａを押下したのであれば、周波数特性検索部４８を通じて、この指定された氏名の電話番号及び、通話音声の周波数特性、すなわち受話側周波数特性及び送話側周波数特性を電話帳メモリ部５２Ａから読み出す（ステップＳ６４）。
【０１１０】
親機制御部２１Ａの音質制御部４５の受話側音質制御部４５Ａは、通話音声の受話側周波数特性に基づいて受話音声の音質を変更するように親機ＤＳＰ１１Ａを制御すると共に、音質制御部４５の送話側音質制御部４５Ｂは、通話音声の送話側周波数特性に基づいて送話音声の音質を変更するように親機ＤＳＰ１１Ａを制御する（ステップＳ６５）。つまり、親機電話機１０Ａでは、通話相手先に対応した周波数特性の受話音声及び送話音声の音質が設定されたことになる。
【０１１１】
親機制御部２１Ａの通信制御部４１は、ステップＳ６４にて読み出した通話相手先の電話番号に基づいて発信動作を実行することで（ステップＳ６６）、この処理動作を終了する。
【０１１２】
また、親機制御部２１Ａは、ステップＳ６１にてキー監視部４２を通じて電話帳キー３５Ａによる指定操作を検出したのでなければ、発着信履歴キー３６Ａによる指定操作を検出したか否かを判定する（ステップＳ６７）。
【０１１３】
親機制御部２１Ａは、発着信履歴キー３６Ａによる通話相手先への指定操作を検出したのであれば、その指定操作が完了したか否かを判定する（ステップＳ６８）。
【０１１４】
親機制御部２１Ａは、指定操作が完了したのであれば、キー監視部４２を通じて発信キー３７Ａを押下したか否かを判定する（ステップＳ６９）。
【０１１５】
メモリ制御部４４は、発信キー３７Ａを押下したのであれば、周波数特性検索部４８を通じて、この指定された氏名の電話番号及び、通話音声の受話側周波数特性及び送話側周波数特性を発着信履歴メモリ部５１Ａから読み出し（ステップＳ７０）、これら受話側周波数特性及び送話側周波数特性に基づいて親機ＤＳＰ１１Ａを制御すべく、ステップＳ６５に移行する。
【０１１６】
親機制御部２１Ａは、ステップＳ６３又はステップＳ６９にて発信キー３７Ａを押下したのでなければ、この発信用音質設定処理の処理動作を終了する。
【０１１７】
図１１に示す発信用音質設定処理によれば、電話帳メモリ部５２Ａや発着信履歴メモリ部５１Ａに登録済みの電話番号に対する発信動作を実行する際には、この電話番号に対応した受話側周波数特性及び送話側周波数特性を読み出し、この読み出した受話側周波数特性及び送話側周波数特性に基づいて送話音声及び受話音声の音質を設定するようにしたので、ユーザは、電話帳機能や発着信履歴機能による電話発信に応じて、通話相手先の送話音声及び受話音声の音質を自動的に設定することができる。
【０１１８】
次に図８に示す周波数特性設定登録処理にて通話相手先との通話音声の周波数特性を発着信履歴メモリ部５１Ａや電話帳メモリ部５２Ａに登録した後の親機電話機１０Ａによる通話相手先からの着信動作について説明する。図１２は着信用音質設定処理に関わる親機制御部２１Ａの処理動作を示すフロー図である。
【０１１９】
図１２に示す着信用音質設定処理とは、発着信履歴メモリ部５１Ａや電話帳メモリ部５２Ａに登録済みの通話相手先からの着信動作を検出すると、この通話相手先の電話番号に対応した通話音声の周波数特性を読み出し、この読み出した周波数特性に基づいて通話音声の音質を自動的に設定する処理である。
【０１２０】
図１２に示す親機制御部２１Ａの通信制御部４１は、公衆網２を通じて電話着信を検出したか否かを判定する（ステップＳ８１）。
【０１２１】
通信制御部４１は、ステップＳ８１にて電話着信を検出したのであれば、この電話着信に対応した通話相手先の発信者番号を検出したか否かを判定する（ステップＳ８２）。
【０１２２】
親機制御部２１Ａのメモリ制御部４４は、通話相手先の発信者番号を検出したのであれば、この発信者番号に対応した電話番号を電話帳メモリ部５２Ａから検索できるか否かを判定する（ステップＳ８３）。
【０１２３】
メモリ制御部４４は、発信者番号に対応する電話番号を電話帳メモリ部５２Ａから検索できたのであれば、周波数特性検索部４８を通じて、この電話帳メモリ部５２Ａから電話番号に対応した通話音声の周波数特性、例えば受話側周波数特性及び送話側周波数特性を読み出す（ステップＳ８４）。
【０１２４】
親機制御部２１Ａの音質制御部４５の受話側音質制御部４５Ａは、受話側周波数特性に基づいて受話音声の音質を変更するように親機ＤＳＰ１１Ａを制御すると共に、音制御部の送話側音質制御部４５Ｂは、送話側周波数特性に基づいて送話音声の音質を変更するように親機ＤＳＰ１１Ａを制御することで（ステップＳ８５）、この着信用音質設定処理の処理動作を終了する。
【０１２５】
通信制御部４１は、ステップＳ８１にて電話着信を検出したのでなければ、又はステップＳ８２にて発信者番号を検出したのでなければ、又はステップＳ８３にて発信者番号に対応した電話番号を電話帳メモリ部５２Ａから検索することができなければ、この着信用音質設定処理の処理動作を終了する。
【０１２６】
図１２に示す着信用音質設定処理によれば、電話帳メモリ部５２Ａに登録済みの通話相手先からの着信を検出すると、この着信に関わる発信者番号を検出し、この発信者番号に対応した受話側周波数特性及び送話側周波数特性を電話帳メモリ部５２Ａから読み出し、この受話側周波数特性及び送話側周波数特性に基づいて受話音声及び送話音声の音質を自動的に設定するようにしたので、ユーザは、電話着信を検出すると、着信相手に対する送話音声及び受話音声の音質を自動的に設定することができる。
【０１２７】
尚、図１２に示す着信用音質設定処理によれば、電話帳メモリ部５２Ａに登録済みの通話相手先からの電話着信を検出すると、この電話帳メモリ部５２Ａに登録済みの通話相手先の電話番号に対応した周波数特性を設定するようにしたが、発着信履歴メモリ部５１Ａに登録済みの通話相手先からの電話着信を検出したとしても、この発着信履歴メモリ部５１Ａに登録済みの通話相手先の電話番号に対応した周波数特性を設定するようにして良いことは言うまでもない。
【０１２８】
では、次に留守録リモート再生処理について説明する。図１３は留守録リモート再生処理に関わる親機制御部２１Ａ内部の処理動作を示すフロー図である。
【０１２９】
図１３に示す留守録リモート再生処理は、公衆網２を通じて外出先電話機からの遠隔操作を検出すると、親機留守録メモリ部２２Ａに録音済みの通話音声を外出先電話機に再生出力する処理である。
【０１３０】
図１３に示す親機制御部２１Ａは、留守録モード中であるか否かを判定する（ステップＳ９１）。尚、この留守録モードは、留守録キー３８Ａのキー操作で設定又は解除されるものである。
【０１３１】
親機制御部２１Ａの通信制御部４１は、留守録モード中であると判定されると、公衆網２を通じて外部からの電話着信を検出したか否かを判定する（ステップＳ９２）。
【０１３２】
通信制御部４１は、電話着信を検出したのであれば、オフフック動作を実行し（ステップＳ９３）、さらに極性反転／接続処理を行うことで（ステップＳ９４）、この電話着信に応答することになる。
【０１３３】
さらに、親機制御部２１Ａは、この電話着信に応答すると、案内メッセージを通話相手先に再生出力する（ステップＳ９５）。尚、この案内メッセージとは、例えば「現在留守にしております。要件のある方はピーっという発信音の後に伝言お願いします」といったアナウンス出力である。
【０１３４】
親機制御部２１Ａは、案内メッセージの出力が完了したか否かを判定する（ステップＳ９６）。尚、案内メッセージの出力完了とは、発信音が出力されたことを示すものである。
【０１３５】
親機制御部２１Ａは、案内メッセージの出力が完了したのであれば、通常の通話相手先からの通話音声、すなわち伝言を親機留守録メモリ部２２Ａに録音する通話音声留守録処理に移行した後（ステップＳ９７）、この留守録リモート再生処理の処理動作を終了する。
【０１３６】
また、親機制御部２１Ａの通信制御部４１は、ステップＳ９７にて案内メッセージの出力が完了したのでなければ、公衆網２を通じて通話相手先からリモート再生起動用ＤＴＭＦ信号を受信したか否かを判定する（ステップＳ９８）。尚、リモート再生起動用ＤＴＭＦ信号とは、例えば“＃１”のダイヤル番号に相当するものである。
【０１３７】
親機制御部２１Ａの留守録制御部４９は、リモート再生起動用ＤＴＭＦ信号を受信したのであれば、親機留守録メモリ部２２Ａに録音済みの通話音声を、公衆網２を通じて通話相手先に再生出力する再生動作を開始する（ステップＳ９９）。
【０１３８】
留守録制御部４９は、このように録音済みの通話音声の通話相手先に対する再生動作を開始すると、図１４に示すリモート周波数特性変更処理に移行する（ステップＳ１００）。尚、このリモート周波数特性変更処理とは、録音済みの通話音声の通話先相手に対する再生動作中、すなわち留守録リモート再生中に、その通話相手先への通話音声（再生音声）の音質を制御すべく、その通話音声の周波数特性を変更する処理である。
【０１３９】
通信制御部４１は、ステップＳ１００にて通話相手先への再生音声（通話音声）の音質を制御した後、オンフック動作を検出したか否かを判定する（ステップＳ１０１）。
【０１４０】
通信制御部４１は、オンフック動作を検出したのであれば、この通話相手先への再生音声の出力動作を終了すべく、この留守録リモート再生処理の処理動作を終了する。
【０１４１】
さらに、通信制御部４１は、ステップＳ１００にてオンフック動作を検出したのでなければ、さらに通話相手先への再生音声（通話音声）の音質を変更制御すべく、ステップＳ１００のリモート周波数特性変更処理に移行する。
【０１４２】
また、通信制御部４１は、ステップＳ９８にてリモート再生起動用ＤＴＭＦ信号を受信したのでなければ、案内メッセージの出力が完了したか否かを判定すべく、ステップＳ９６に移行する。
【０１４３】
図１３に示す留守録リモート再生処理によれば、公衆網２（外線）を通じて外出先電話機からのリモート再生起動用ＤＴＭＦ信号（例えば“＃１”のダイヤル番号）を検出すると、親機留守録メモリ部２２Ａに録音済みの通話音声を、外線を通じて外出先電話機に再生出力するようにしたので、ユーザは、外出先電話機からの遠隔操作で、親機留守録メモリ部２２Ａに録音済みの通話音声を受聴することができる。
【０１４４】
次に図１３に示すステップＳ１００のリモート周波数特性変更処理について説明する。図１４はリモート周波数特性変更処理に関わる親機制御部２１Ａの処理動作を示すフロー図である。
【０１４５】
図１４において親機制御部２１Ａの通信制御部４１は、外出先電話機からの送話側周波数特性変更用ＤＴＭＦ信号を受信したか否かを判定する（ステップＳ１１１）。尚、送話側周波数特性変更用ＤＴＭＦ信号とは、例えば“＃２”のダイヤル番号に相当するものである。
【０１４６】
親機制御部２１Ａの周波数特性変更部４６は、送話側周波数特性変更用ＤＴＭＦ信号を受信すると、現在の送話側周波数特性を設定変更する（ステップＳ１１２）。尚、周波数特性変更部４６は、前述したように“ノーマル”→“高域強調”→“低域強調”→“ノーマル”→“高域強調”→…といった所定順序方向で周波数特性パターンを設定変更するものである。
【０１４７】
周波数特性変更部４６は、送話側周波数特性変更用ＤＴＭＦ信号を受信する度に、現在の送話側周波数特性の周波数特性パターンを所定順序方向に設定変更することで、親機留守録メモリ部２２に録音済みの通話音声（再生音声）における通話相手先への再生音声の周波数特性を変更することになる。
【０１４８】
親機制御部２１Ａの送話側音質制御部４５Ｂは、ステップＳ１１２にて設定変更した周波数特性に基づいて通話相手先への再生音声の音質を変えるべく、親機ＤＳＰ１１Ａ制御することで（ステップＳ１１３）、このリモート周波数特性変更処理の処理動作を終了して、図１３に示すステップＳ１０１に移行する。
【０１４９】
通信制御部４１は、ステップＳ１１１にて送話側周波数特性変更用ＤＴＭＦ信号を受信したのでなければ、このリモート周波数特性変更処理の処理動作を終了して、図１３に示すステップＳ１０１に移行する。
【０１５０】
図１４に示すリモート周波数特性変更処理によれば、外出先電話機からの遠隔操作で親機留守録メモリ部２２Ａに録音済みの通話音声を外線を通じて再生出力中、すなわち、外出先電話機に対する留守録リモート再生中に、外出先電話機からの送話側周波数特性変更用ＤＴＭＦ信号を受信すると、この外出先電話機への再生音声の音質を制御するようにしたので、外出先電話機からの遠隔操作で、その外出先電話機への再生音声の音質を制御することができる。
【０１５１】
本実施の形態によれば、外出先電話機への留守録リモート再生中に、この外出先からの送話側周波数特性変更用ＤＴＭＦ信号を受信すると、この送話側周波数特性変更用ＤＴＭＦ信号に基づいて送話側周波数特性の周波数特性パターンを選択し、この周波数特性パターンに基づいて、留守録リモート再生中の再生音声の音質を制御することで、この音質制御した通話音声を外出先電話機にリモート再生出力するようにしたので、外出先電話機からの簡単なダイヤル操作で留守録リモート再生中の再生音声の音質を変えることができる。
【０１５２】
本実施の形態によれば、通話相手先との通話音声に関わる周波数特性及び、その通話相手先の電話番号を発着信履歴メモリ部５１Ａや電話帳メモリ部５２Ａに対応付けて記憶管理しておき、電話着信や電話発信を検出すると、通話相手先の電話番号に対応した周波数特性を検索し、この検索した周波数特性に基づいて通話相手先との通話音声の音質を制御するようにしたので、同一電話番号の通話相手先と再度通話する際には、その通話相手先の電話番号に対応した周波数特性に基づいて自動的に通話音声の音質を制御するため、その周波数特性変更に関わる操作を行う必要がなく、その結果、その周波数特性変更に関わる操作性を著しく良好にすることができる。
【０１５３】
さらに本実施の形態によれば、通話相手先の電話番号に対応した周波数特性を検索すると、この周波数特性に基づいて通話相手先との通話音声の内、この通話相手先からの受話音声を音質制御するようにしたので、同一電話番号の通話相手先と再度通話する際には、その通話相手先との通話音声の内、この通話相手先からの受話音声の音質を制御するため、受話音声の周波数特性変更に関わる操作を行う必要がなく、その結果、その周波数特性変更に関わる操作性を著しく良好にすることができると共に、しかも、最適な受話音声を提供することができる。
【０１５４】
さらに、本実施の形態によれば、通話相手先の電話番号に対応した周波数特性を検索すると、この周波数特性に基づいて通話相手先との通話音声の内、この通話相手先への送話音声を音質制御するようにしたので、同一電話番号の通話相手先と再度通話する際には、その通話相手先との通話音声の内、この通話相手先への送話音声の音質を制御するため、送話音声の周波数特性変更に関わる操作を行う必要がなく、その結果、その周波数特性変更に関わる操作性を著しく良好にすることができると共に、しかも、通話相手先に最適な通話音声（送話音声）を提供することができる。
【０１５５】
本実施の形態によれば、通話相手先との通話中に周波数特性変更用のボタン操作を検出すると、通話相手先との通話音声に関わる周波数特性を変更するようにしたので、通話相手先との通話音声に関わる周波数特性を簡単に変更することができる。
【０１５６】
本実施の形態によれば、通話相手先との通話音声に関わる周波数特性を変更すると、この通話相手先との終話に応じて、この通話相手先の通話音声に関わる周波数特性（受話側周波数特性及び送話側周波数特性）と、この通話相手先の電話番号とを対応付けて発着信履歴メモリ部５１Ａや電話帳メモリ部５２Ａに登録するようにしたので、通話相手先との通話音声に関わる周波数特性を変更した場合、その通話相手先との終話に応じて、その通話相手先の電話番号及び周波数特性を簡単に登録することができる。
【０１５７】
本実施の形態によれば、通話相手先からの周波数特性変更用のＤＴＭＦ信号を検出すると、通話相手先との通話音声に関わる周波数特性（受話側周波数特性及び送話側周波数特性）を変更するようにしたので、通話相手先からでもリモート操作で通話相手先との通話音声に関わる周波数特性を簡単に変更することができる。例えば周波数特性を変更操作ができない電話機のユーザにとっては、通話相手先からのリモート操作で周波数特性を変更することができるため、非常に便利である。
【０１５８】
さらに、本実施の形態によれば、通話相手先からの着信動作に伴う通話相手先の発信者番号を検出すると、この発信者番号の電話番号に対応した周波数特性を発着信履歴メモリ部５１Ａや電話帳メモリ部５２Ａから検索し、この周波数特性に基づいて通話相手先との通話音声（受話音声及び送話音声）の音質を制御するようにしたので、通話相手先に対応した通話音声の周波数特性を自動的に設定することができる。
【０１５９】
本実施の形態によれば、通話相手先への発信動作を検出すると、この発信相手である通話相手先の電話番号に対応した周波数特性を発着信履歴メモリ部５１Ａや電話帳メモリ部５２Ａから検索し、この周波数特性に基づいて通話相手先との通話音声（受話音声及び送話音声）の音質を制御するようにしたので、通話相手先に対応した通話音声の周波数特性（受話側周波数特性及び送話側周波数特性）を自動的に設定することができる。
【０１６０】
尚、上記実施の形態においては、図１に示す親機電話機１０Ａを例にあげて説明してきたが、図７に示す子機電話機１０Ｂについても、通話相手先との通話中に、その通話音声の受話音声及び送話音声の周波数特性を変更可能とする周波数特性変更機能や、この通話相手先の電話番号及び、その受話音声及び送話音声の周波数特性を対応付けて子機記憶部２０Ｂに記憶管理する周波数特性登録機能や、電話着信や電話発信を検出すると、この通話相手先に対応した受話音声及び送話音声の周波数特性を自動的に設定する周波数特性設定機能を備えていることは言うまでもなく、この子機電話機１０Ｂについても、前述した効果と同様の効果が得られることは言うまでもない。
【０１６１】
上記実施の形態においては、通話音声の音質をソフト的に変更する機能として親機ＤＳＰ１１Ａや子機ＤＳＰ１１Ｂを例にあげて説明したが、図１３に示すように、フィルタ特性が夫々異なる複数のフィルタ７１Ａ及び、これらフィルタ７１Ａを切替選択するフィルタ選択部７２Ａとを有し、このフィルタ選択部７２Ａにて選択したフィルタ７１Ａで通話音声の音質を変更するようにした音質変更部７０を設けるようにしても、同様の効果が得られることは言うまでもない。
【０１６２】
また、上記実施の形態においては、受話音声及び送話音声の周波数特性パターンを“高域強調”、“ノーマル”及び“低域強調”の三段階としたが、この周波数特性の段階を増やすことで、きめ細かい周波数特性を設定することができることは言うまでもない。また、周波数特性パターンを選択設定するというのではなく、アナログ的に所望の周波数特性を変更できるようにしても良く、この場合には、より一層、きめ細かい周波数特性を設定することができることは言うまでもない。
【０１６３】
また、上記実施の形態においては、外出先電話機からのダイヤル操作で留守録リモート再生中の再生音声の音質を制御するようにしたが、例えば親機留守録メモリ部２２Ａに録音済みの通話音声をスピーカ部１５Ａにて再生出力する通常留守録再生機能であっても、例えばボイススイッチ３２Ａの押下操作で再生音声の周波数特性を変更し、この周波数特性に基づいてスピーカ部１５Ａで再生出力する再生音声の音質を制御するようにしても良いことは言うまでもない。
【０１６４】
【発明の効果】
上記のように構成された本発明の電話機によれば、外部電話機からの再生信号検出に伴う外部電話機への録音済み通話音声の出力中、つまり、留守録リモート再生中に、外部電話機からの周波数特性変更信号を検出すると、この周波数特性変更信号に基づいて、前記外部電話機に出力する通話音声の音質を制御することで、この音質制御した通話音声を前記外部電話機へと出力させるようにしたので、留守録リモート再生中であっても、外出先の外部電話機からの遠隔操作で、同外部電話機への再生音声の音質を制御することができる。
【０１６５】
本発明の電話機によれば、外部電話機からの再生信号や周波数特性変更信号を所定のＤＴＭＦ信号とするようにしたので、外出先の外部電話機からのダイヤル操作で同外部電話機への再生音声の周波数特性を簡単に変更することができ、その結果、その再生音声の音質を変更することができる。
【０１６６】
本発明の電話機の音質制御方法によれば、外部電話機からの再生信号検出に伴う外部電話機への録音済み通話音声の出力中、つまり、留守録リモート再生中に、外部電話機からの周波数特性変更信号を検出すると、この周波数特性変更信号に基づいて、前記外部電話機に出力する通話音声の音質を制御することで、この音質制御した通話音声を前記外部電話機へと出力させるようにしたので、留守録リモート再生中であっても、外出先の外部電話機からの遠隔操作で、同外部電話機への再生音声の音質を制御することができる。
【図面の簡単な説明】
【図１】本発明の電話機における実施の形態を示す電話システムの親機電話機内部の概略構成を示すブロック図
【図２】本実施の形態に関わる親機電話機の外観構成及び親機電話機の親機ＬＣＤの表示内容を示す説明図
【図３】本実施の形態に関わる親機電話機の親機制御部内部の概略構成を示すブロック図
【図４】本実施の形態に関わる通話音声の周波数特性パターンを示す説明図
【図５】本実施の形態に関わる親機電話機の親機記憶部内部における電話帳メモリのテーブル構成を端的に示す説明図
【図６】本実施の形態に関わる親機電話機の親機ＬＣＤの表示内容を端的に示す説明図
ａ）送信側周波数特性を“ノーマル”設定した場合
ｂ）送信側周波数特性を“高域強調”設定した場合
ｃ）送信側周波数特性を“低域強調”設定した場合
【図７】本実施の形態に関わる子機電話機内部の概略構成を示すブロック図
【図８】本実施の形態に関わる親機電話機の周波数特性設定登録処理に関わる親機制御部の処理動作を示すフロー図
【図９】本実施の形態に関わる親機電話機の周波数特性変更処理に関わる親機制御部の処理動作を示すフロー図
【図１０】本実施の形態に関わる親機電話機の外部ＤＴＭＦ信号周波数特性変更処理に関わる親機制御部の処理動作を示すフロー図
【図１１】本実施の形態に関わる親機電話機の発信用音質設定処理に関わる親機制御部の処理動作を示すフロー図
【図１２】本実施の形態に関わる親機電話機の着信用音質設定処理に関わる親機制御部の処理動作を示すフロー図
【図１３】本実施の形態に関わる親機電話機の留守録リモート再生処理に関わる親機制御部の処理動作を示すフロー図
【図１４】本実施の形態に関わる親機電話機のリモート周波数特性変更処理に関わる親機制御部の処理動作を示すフロー図
【図１５】本実施の形態に関わる親機電話機の親機ＤＳＰの代替とした音声変更部内部の概略構成を示すブロック図
【符号の説明】
１０Ａ  親機電話機（電話機）
１１Ａ  親機ＤＳＰ（音質制御手段）
２２Ａ  親機留守録メモリ部（通話録音手段）
４５    音質制御部（音質制御手段）
４５Ａ  受話側音質制御部（音質制御手段）
４５Ｂ  送話側音質制御部（音質制御手段）
４６    周波数特性変更部（音質制御手段）
４９    留守録制御部（通話録音手段）
【図１】
2005020556.tif 000003
【図２】
2005020556.tif 000004
【図３】
2005020556.tif 000005
【図４】
2005020556.tif 000006
【図５】
2005020556.tif 000007
【図６】
2005020556.tif 000008
【図７】
2005020556.tif 000009
【図８】
2005020556.tif 000010
【図９】
2005020556.tif 000011
【図１０】
2005020556.tif 000012
【図１１】
2005020556.tif 000013
【図１２】
2005020556.tif 000014
【図１３】
2005020556.tif 000015
【図１４】
2005020556.tif 000016
【図１５】
2005020556.tif 000017